(57)【要約】【課題】  緑化対象を短期間で効率よく緑化できるようにすること。【解決手段】  緑化対象のコンクリート吹付面１０１の表面に、生分解性の接着剤１０２を塗布し、その後、接着剤１０２に重ねて複数のセダムシート１０３を並設することによって、セダムシート１０３を接着剤１０２でコンクリート吹付面１０１に貼り付ける。その後、セダムシート１０３の全面を汚泥水でぬって、セダムシート１０３に使用しているガーゼとセダムとを馴染みやすくする。その後、セダムシート１０３に対する液肥の散布作業を行って、緑化工事を終了する。【選択図】  図２
2006180816.tif 000002
【特許請求の範囲】
【請求項１】
緑化対象のコンクリート表面に多肉植物のシートを生分解性の接着剤で貼り付ける工程を有することを特徴とする緑化工法。
【請求項２】
前記緑化対象のコンクリート表面に前記多肉植物のシートを生分解性の接着剤で貼り付けた後、発根を促進する材料を含む汚泥水をぬり、液肥を散布する工程を有することを特徴とする請求項１記載の緑化工法。
【請求項３】
緑化対象のコンクリート表面に麻のシートを生分解性の接着剤で貼り付ける工程と、前記麻のシートに多肉植物のシートを生分解性の接着剤で貼り付ける工程とを有することを特徴とする緑化工法。
【請求項４】
前記緑化対象のコンクリート表面に麻のシートを生分解性の接着剤で貼り付ける工程と前記麻のシートに多肉植物のシートを生分解性の接着剤で貼り付ける工程との間に、発根を促進する材料を含む汚泥水をぬる工程を有することを特徴とする請求項３記載の緑化工法。
【請求項５】
前記多肉植物のシートを生分解性の接着剤で貼り付けた後、液肥を散布する工程を有することを特徴とする請求項４記載の緑化工法。
【請求項６】
前記接着剤は、天然ゴムとメチルセルロースを含むことを特徴とする請求項１乃至５のいずれか一に記載の緑化工法。
【請求項７】
前記汚泥水は、養土の微粒と陶土を水に溶いて成るものであることを特徴とする請求項２、４、５又は６記載の緑化工法。
【発明の詳細な説明】
【技術分野】
【０００１】
本発明は、セダム等の多肉植物のシートを用いた緑化工法に関する。
【背景技術】
【０００２】
従来から、法（のり）面等の構造物に植物（例えば、多肉植物）を植設することによって緑化を行う緑化工法が行われている（例えば、特許文献１、２参照）。
図７は、従来から行われている緑化工法の一種である厚層吹き付工法を示す図である。図７において、厚層吹き付工法では、土の法面７０１を形成して必要な勾配に切削し、法面７０１上にラスネット７０２を張り、ラスネット７０２上に養土と種を混ぜた厚層基材又は植成基材から成る基材７０３を高圧噴射機にて吹き付けるようにしている。
【０００３】
前記緑化工法においては、緑化の施工時期に応じた時期に種から芽７０４、８０４が出て緑化するが、早い場合には施工後すぐに種から芽７０４が出て緑化し、遅い場合には、吹き付けた状態のまま年を越し翌年の春には発芽し緑化するようになる。このようにして、法面を緑化することができる。
しかしながら、前記緑化方法は、土の法面上に施工する緑化工法であるため次のような問題がある。
【０００４】
例えば、厚層基材には接着剤が入っているため厚層基材がラスネットより下に入らない。したがって、前記基材とラスネットから下の土の部分とが離れているため、雨が降った場合に浸透した雨水が前記基材の下を流れ、土の法面状態を荒らして、土の法面が破壊されてしまう。また、前記厚層基材は接着剤で固めるため表面がかたく発芽が少なくなってしまう。従って緑化後、３年〜４年でほとんど法面上の緑化はなくなり、基材下のラスネットが現れ美観上も悪くなるという問題がある。
【０００５】
前記問題を解決するために開発された緑化工法として、簡易法枠工法がある。
図８は、従来から行われている緑化工法の一種である簡易法枠工法を示す部分正面図である。図９は図８のＡ−Ａ断面図である。また、図１０は法枠８０２の断面図であり、法枠８０２は複数層のコンクリート巻き８０５によって構成されている。
図８〜図１０において、簡易法枠工法では、土の法面７０１を形成して必要な勾配に切削し、法面７０１保護のために法面７０１上に十文字状の簡易法枠８０２を設置し、法枠８０２内の法面７０１上に養土と種を混ぜた厚層基材又は植成基材から成る基材８０３を高圧噴射機にて吹き付けるようにしている。
【０００６】
前記緑化工法においては、緑化の施工時期に応じた時期に種から芽８０４が出て緑化するが、早い場合には施工後すぐに種から芽８０４が出て緑化し、遅い場合には、吹き付けた状態のまま年を越し翌年の春には発芽し緑化するようになる。この緑化工法では、法面の破壊は少ないが、基材はやはり接着剤を入れたものを使用しているため、種の発芽が悪いという問題がある。
【０００７】
図１１は、所謂ガーデニングとして緑化する方法である。図１１において、もたれ擁１１１には鉄線ネット１１２が取り付けられ、もたれ擁１１１下部に植え込み箱１１３を配設し、植え込み箱１１３に植えられたつる草１１４を、鉄線ネット１１２の下方から上方に向かってはわせるようにして、緑化するようにしている。しかしながら、つる草１１４をはわせるために５年〜１０年単位の時間が必要であるため、緑化を早急にするには不適である。
【０００８】
図１２も、図１１の方法と同様に、所謂ガーデニングとして緑化する方法である。図１２において、もたれ擁１１１には鉄線ネット１１２が取り付けられ、つる草１２１を、鉄線ネット１１２の上方から下方に向かってはわせるようにして、緑化するようにしている。しかしながら、図１１の方法と同様に、つる草１２１をはわせるために５年〜１０年単位の時間が必要であるため、緑化を早急にするには不適である。
【０００９】
【特許文献１】特開２００２−３４５３２７号公報
【特許文献２】特開２００４−１２９６１８号公報
【発明の開示】
【発明が解決しようとする課題】
【００１０】
本発明は、緑化対象を短期間で効率よく緑化できるようにすることを課題としている。
【課題を解決するための手段】
【００１１】
本発明によれば、緑化対象のコンクリート表面に多肉植物のシートを生分解性の接着剤で貼り付ける工程を有することを特徴とする緑化工法が提供される。
ここで、前記緑化対象のコンクリート表面に前記多肉植物のシートを生分解性の接着剤で貼り付けた後、発根を促進する材料を含む汚泥水をぬり、液肥を散布する工程を有することが好ましい。
また、本発明によれば、緑化対象のコンクリート表面に麻のシートを生分解性の接着剤で貼り付ける工程と、前記麻のシートに多肉植物のシートを生分解性の接着剤で貼り付ける工程とを有することを特徴とする緑化工法が提供される。
【００１２】
ここで、前記緑化対象のコンクリート表面に麻のシートを生分解性の接着剤で貼り付ける工程と前記麻のシートに多肉植物のシートを生分解性の接着剤で貼り付ける工程との間に、発根を促進する材料を含む汚泥水をぬる工程を有することが好ましい。
また、前記多肉植物のシートを生分解性の接着剤で貼り付けた後、液肥を散布する工程を有することが好ましい。
尚、前記接着剤は、天然ゴムとメチルセルロースを含むものであることが好ましい。また、前記汚泥水は、養土の微粒と陶土を水に溶いて成るものであることが好ましい。
【発明の効果】
【００１３】
本発明の緑化工法によれば、緑化対象を短期間で効率よく緑化することが可能になる。
【発明を実施するための最良の形態】
【００１４】
以下、図面を参照して、本発明の実施の形態に係る緑化工法について説明する。
図１〜図３は、本発明の第１の実施の形態に係る緑化方法を説明するための図で、図１及び図２は緑化対象の部分側面図、第３図は前記緑化対象の部分正面図である。
緑化工法の施工時期は、緑化に使用する多肉植物（例えば、セダム）が発芽して成長することが可能な時期（一般的に日本国内では３月下旬から１０月末）である。また、緑化工法を施工する場所（緑化対象）は、土が露出している面ではなく、表面がコンクリートで被われているもの（コンクリート構造物）である。尚、植物による緑化であり、前記植物は水分を必要とするため、人工的に給水する必要がないように、施工対象は、全ての面に雨水があたる場所にあることが好ましい。
【００１５】
先ず、緑化工法の第１段階は、緑化対象のコンクリート表面に生分解性の接着剤を塗り、その後、前記接着剤によってセダムシートを前記コンクリート表面に直接貼り付ける工程である。
ここで使用している接着剤は、発根しやすいように生分解性の接着剤を使用している。また、前記接着剤は、コンクリート表面に出来るだけ早く多肉植物を発根させるために、表面に凸凹を作り発根をうながすものが好ましい。そのため接着剤の約１０重量％の量の微粒草粉を含めることが好ましい。具体的には、前記接着剤は、天然ゴムとメチルセルロースを含む接着剤である。前記接着剤の成分の一例を挙げると、天然ゴムが４２〜４４重量％、メチルセルロースが０．５重量％、水が５７〜５５重量％、アンモニア水が０．５重量％である。
【００１６】
また、セダムシートは、ガーゼの上に所定程度乾燥させたセダムの苗をばらまきちらしてから、セダムの落下を防ぐため、化学繊維の入った糊を上から散布し仕上げたシートである（例えば、前記特許文献２参照）。尚、本実施の形態では前記セダムシートを使用した例で説明するが、セダムの代わりに他の多肉殖物を用いて前記セダムシートと同様にシート状にした多肉植物のシートを使用することも可能である。
【００１７】
第１段階では、図１に示すように、土の傾斜面にコンクリートを吹付けて成る緑化対象のコンクリート吹付面１０１の表面に、前述した接着剤１０２を塗布し、その後、図２及び図３に示すように、前記接着剤１０２に重ねて複数のセダムシート１０３を並設することによって、複数のセダムシート１０３を前記接着剤１０２でコンクリート吹付面１０１に貼り付ける。
【００１８】
その後、次の第２段階の作業工程に移行する。第２段階は、汚泥水のはけぬり（刷ぬり）作業を行う工程であり、はけを用いて各セダムシート１０３の全面を汚泥水でぬる。前記汚泥水のぬり作業は、セダムシート１０３を貼った後に一度行う。汚泥水を刷ぬりする目的は、セダムシート１０３を汚泥水で染めることによってセダムシートに使用しているガーゼとセダムとを馴染みやすくするためである。前記汚泥水としては、固化培土（例えば、前記特許文献１参照）の養土（肥料分を含んだ微粒の土）の微粒と陶土を混ぜた微粉を水に溶き仕上げた液状のものが使用できる。
【００１９】
その後、次の第３段階の作業工程に移行する。第３段階は、セダムシート１０３に対する液肥の散布（噴霧）作業を行う工程である。液肥としては、杉、桧、松、オオバコ等から抽出した天然液である株式会社フローラー製のパッピーバイオ液ＨＢ−１０１を使用することが好ましい。
以上で緑化工事は終了する。セダムの維持管理として、液肥を所定の時期に所定回数噴霧する。一般的に日本国内では毎年４月と１０月という２つの時期に噴霧することが好ましい。この場合、５月〜６月に花が咲くが、多くの花を咲かせるために４月に３回噴霧する。また、セダムが紅葉し、翌年の発芽を助けるため、１０月に３回噴霧する。
【００２０】
このように、本第１の実施の形態では、緑化対象が土ではなく、又、緑化対象のコンクリート表面１０１にセダムシート１０３を生分解性の接着剤１０２で貼り付けるようにしているため、コンクリート上で発芽し、成長することが可能になり、コンクリート表面を緑化できる。したがって、緑化対象のコンクリート表面を短期間で効率よく緑化することが可能になる。
【００２１】
図４は、本発明の第２の実施の形態に係る緑化方法を説明するための部分側面図であり、図１〜図３と同一部分には同一符号を付している。
前記第１の実施の形態と本第２の実施の形態との相違点は、前記第１の実施の形態における緑化対象のコンクリート表面がコンクリート吹付面１０１であったが、本第２の実施の形態における緑化対象のコンクリート表面がコンクリート擁壁面４０１である点である。尚、コンクリート擁壁面４０１は、雨が当たれば擁着するため直立面でもよいが、雨が当たって勾配がある擁壁面のほうがより好ましい。
【００２２】
本第２の実施の形態においては、第１段階として、コンクリート擁壁面４０１に前述した生分解性の接着剤１０２を塗布し、その後、接着剤１０２に重ねて複数のセダムシート１０３を並設することによって、複数のセダムシート１０３を接着剤１０２でコンクリート擁壁面４０１に貼り付ける工程を有している。その後、前記第１の実施の形態と同様に、第２段階、第３段階の作業工程を行うことにより、緑化作業を完了する。また、施工完了後、前記第１の実施の形態と同様に維持管理などを行う。本第２の実施の形態においても前記第１の実施の形態と同様の効果を奏する。
【００２３】
図５は、本発明の第３の実施の形態に係る緑化方法を説明するための部分側面図であり、図１〜図４と同一部分には同一符号を付している（但し、接着剤１０２は、第１層及び第２層に前述した同一組成の接着剤１０２を使用しているが、第１層の接着剤と第２層の接着剤を説明上区別するために、各々、符号１０２ａ、１０２ｂと記している。）。
【００２４】
前記第１の実施の形態と本第３の実施の形態との相違点は、前記第１の実施の形態においてはコンクリート吹付面１０１にセダムシート１０３を直接貼り付けたが、本第３の実施の形態においてはコンクリート吹付面１０１にセダムシート１０３を間接的に貼り付けるようにしている点である。
即ち、本第３の実施の形態に係る緑化工法においては、緑化対象のコンクリート表面に麻のシートを生分解性の接着剤で貼り付ける工程と、前記麻のシートに多肉植物のシートを生分解性の接着剤で貼り付ける工程とを有している。また、前記緑化対象のコンクリート表面に麻のシートを生分解性の接着剤で貼り付ける工程と前記麻のシートに多肉植物のシートを生分解性の接着剤で貼り付ける工程との間に、発根を促進する材料を含む汚泥水をぬる工程を有するようにしている。
【００２５】
図５にそってこれを説明すると、本第３の実施の形態においては、第１段階として、コンクリート吹付面１０１に接着剤１０２ａを塗布し、その後、接着剤１０２ａに重ねて複数の麻のシート５０１を並設することによって、複数の麻のシート５０１をコンクリート吹付面１０１に接着剤１０２ａで貼り付ける工程を有している。麻シート５０１は、麻糸を疎にメッシュ状に織り込むことによって、麻糸間が疎な布状に形成したものであり、セダムの発根を助けるという効果を奏するものである。
【００２６】
その後、複数の麻シート５０１に対して、発根を促進する材料を含む汚泥水をぬる工程を有している。
その後、複数の麻のシート５０１に前述した接着剤１０２ｂを塗布し、その後、接着剤１０２ｂに重ねて複数のセダムシート１０３を並設することによって、複数のセダムシート１０３を接着剤１０２ｂで麻のシート５０１に貼り付ける工程を有している。これにより、セダムシート１０３をコンクリート吹付面１０１に間接的に貼り付ける。
【００２７】
その後、前記第１の実施の形態における第３段階の作業工程（セダムシート１０３に対する液肥の散布（噴霧）作業を行う工程）を行うことにより、緑化作業を完了する。また、施工完了後に、前記第１の実施の形態と同様に維持管理などを行う。
本第３の実施の形態においては、前記第１、第２の実施の形態と同様の効果を奏するのみならず、麻シート５０１を使用しているため、セダムの発根を助けるという効果をも奏するものである。尚、セダムの発根をより良く助けるために、麻シート５０１を二重以上に重ねて貼り付けるようにしてもよい。
【００２８】
図６は、本発明の第４の実施の形態に係る緑化方法を説明するための部分側面図であり、図１〜図５と同一部分には同一符号を付している（但し、前記第３の実施の形態と同様に、接着剤１０２は、第１層及び第２層に前述した同一組成の接着剤１０２を使用しているが、第１層の接着剤と第２層の接着剤を説明上区別するために、各々、符号１０２ａ、１０２ｂと記している。）。
【００２９】
前記第３の実施の形態と本第２の実施の形態との相違点は、前記第３の実施の形態における緑化対象のコンクリート表面がコンクリート吹付面１０１であったが、本第４の実施の形態における緑化対象のコンクリート表面がコンクリート擁壁面４０１である点である。
即ち、本第４の実施の形態においては、第１段階として、コンクリート擁壁面４０１に接着剤１０２ａを塗布し、その後、接着剤１０２ａに重ねて複数の麻のシート５０１を並設することによって複数の麻のシート５０１を接着剤１０２ａでコンクリート擁壁面４０１に貼り付ける工程を有している。麻シート５０１は、前記第３の実施の形態と同様に、セダムの発根を助けるために使用している。
【００３０】
その後、複数の麻シート５０１に対して、発根を促進する材料を含む汚泥水をぬる工程を有している。
その後、複数の麻のシート５０１に前述した接着剤１０２ｂを塗布し、その後、接着剤１０２ｂに重ねて複数のセダムシート１０３を並設することによって、複数のセダムシート１０３を接着剤１０２ｂで麻のシート５０１に貼り付ける工程を有している。これにより、セダムシート１０３をコンクリート擁壁面４０１に間接的に貼り付ける。
【００３１】
その後、前記第１の実施の形態における第３段階の作業工程（セダムシート１０３に対する液肥の散布（噴霧）作業を行う工程）を行うことにより、緑化作業を完了する。また、施工完了後に、前記第１の実施の形態と同様に維持管理などを行う。
本第４の実施の形態においては、前記第３の実施の形態と同様の効果を奏するものである。
【００３２】
以上述べたように、本発明の実施の形態に係る緑化工法は、緑化対象たる構造物の表面に植物を植設することによって前記構造物の表面を緑化する緑化工法において、緑化対象のコンクリート表面１０１、４０１に多肉植物のシート（例えばセダムシート１０３）を生分解性の接着剤１０２で貼り付けるようにしている。即ち、緑化対象のコンクリート表面１０１、４０１上に、生分解性の接着剤１０２と多肉植物のシート（例えばセダムシート１０３）を積層することによって前記多肉植物シートをコンクリート表面１０１、４０１に直接貼り付けるようにしている。また、その後、発根を促進する材料を含む汚泥水を刷ぬりした後、液肥を散布するようにしている。
【００３３】
また、本発明の実施の形態に係る緑化工法は、緑化対象たる構造物の表面に植物を植設することによって前記構造物の表面を緑化する緑化工法において、緑化対象のコンクリート表面１０１、４０１に麻のシート５０１を生分解性の接着剤１０２ａで貼り付け、前記麻のシート５０１に多肉植物のシート（例えばセダムシート１０３）を生分解性の接着剤１０２ｂで貼り付けるようにしている。即ち、緑化対象のコンクリート表面１０１、４０１上に、生分解性の接着剤１０２ａ、麻シート５０１、生分解性の接着剤１０２ｂ及び多肉植物のシート（例えばセダムシート１０３）を積層することによって前記多肉植物シートをコンクリート表面１０１、４０１に間接的に貼り付けるようにしている。
【００３４】
また、緑化対象のコンクリート表面１０１、４０１に麻のシート５０１を生分解性の接着剤１０２ａで貼り付ける工程と、前記麻のシート５０１に多肉植物のシート（例えばセダムシート１０３）を生分解性の接着剤１０２ｂで貼り付ける工程との間に、発根を促進する材料を含む汚泥水をぬる工程を有するようにしている。さらに、前記多肉植物（例えばセダム）に液肥を散布する工程を有するようにしている。
【００３５】
ここで、前記接着剤１０２は、天然ゴムとメチルセルロースを含むものが好ましい。また、前記汚泥水は、固化培土と陶土を水に溶いて成るものが好ましい。
したがって、多肉植物はコンクリート上で発芽し、成長することが可能になるので、コンクリート表面を緑化できる。したがって、緑化対象のコンクリート表面を短期間で効率よく緑化することが可能になる。
【産業上の利用可能性】
【００３６】
コンクリート吹き付け表面、重力式擁壁表面、もたれ式擁壁表面、間知ブロック積表面、コンクリートブロック表面等の各種構造物のコンクリート面の緑化に適用することが可能である。
【図面の簡単な説明】
【００３７】
【図１】本発明の第１の実施の形態に係る緑化方法を説明するための緑化対象の部分側面図である。
【図２】本発明の第１の実施の形態に係る緑化方法を説明するための緑化対象の部分側面図である。
【図３】本発明の第１の実施の形態に係る緑化方法を説明するための緑化対象の部分正面図である。
【図４】本発明の第２の実施の形態に係る緑化方法を説明するための緑化対象の部分側面図である。
【図５】本発明の第３の実施の形態に係る緑化方法を説明するための緑化対象の部分側面図である。
【図６】本発明の第４の実施の形態に係る緑化方法を説明するための緑化対象の部分側面図である。
【図７】従来の緑化工法の一種である厚層吹き付工法を説明するための部分側面図である。
【図８】従来の緑化工法の一種である簡易枠工法を説明するための部分正面図である。
【図９】図８におけるＡ−Ａ断面図である。
【図１０】従来の緑化工法の一種である簡易枠工法において使用する法枠の断面図である。
【図１１】従来のガーデニングを説明するための部分側面図である。
【図１２】従来のガーデニングを説明するための部分側面図である。
【符号の説明】
【００３８】
１０１・・・コンクリート吹付面
１０２、１０２ａ、１０２ｂ・・・接着剤
１０３・・・セダムシート
４０１・・・コンクリート擁壁面
５０１・・・麻シート
【図１】
2006180816.tif 000003
【図２】
2006180816.tif 000004
【図３】
2006180816.tif 000005
【図４】
2006180816.tif 000006
【図５】
2006180816.tif 000007
【図６】
2006180816.tif 000008
【図７】
2006180816.tif 000009
【図８】
2006180816.tif 000010
【図９】
2006180816.tif 000011
【図１０】
2006180816.tif 000012
【図１１】
2006180816.tif 000013
【図１２】
2006180816.tif 000014